(57)【要約】【課題】  製造の困難性や製造コストの上昇を招来することなく、複数の規格の光ディスクについて、発生する収差や読み出される信号の状態を良好とすることができる光ディスク装置を提供する。【解決手段】  チルト調整機構（アクチュエータ）により、対物レンズ２及び光ディスク１０１の相対角度を、一の規格の光ディスク１０１を用いるときには、この一の規格の光ディスク１０１について調整された最適なチルト角とし、他の規格の光ディスク１０１を用いるときには、最適なチルト角に対して予め定められた所定角度だけ変化させる。【選択図】  図１
2007066442.tif 000002
【特許請求の範囲】
【請求項１】
光ディスクを回転駆動する回転駆動手段と、
複数の規格の光ディスクに対応する一、または、互いに異なる波長の光を発する複数のレーザ光源を有し、該レーザ光源からの光束を一、または、複数の互いに異なる対物レンズにより前記光ディスクの記録面上に集光させる光学ピックアップと、
前記対物レンズ及び前記光ディスクの相対角度を調整するチルト調整機構とを備え、
前記チルト調整機構は、前記対物レンズ及び前記光ディスクの相対角度を、一の規格の光ディスクを用いるときには、この一の規格の光ディスクについて調整された最適なチルト角とし、他の規格の光ディスクを用いるときには、前記最適なチルト角に対して予め定められた所定角度だけ変化させる
ことを特徴とする光ディスク装置。
【発明の詳細な説明】
【技術分野】
【０００１】
本発明は、複数の規格の光ディスクに対して情報信号の記録及び／又は再生を行う光ディスク装置に関する。
【背景技術】
【０００２】
従来、複数の規格の光ディスクに対して情報信号の記録及び／又は再生を行う光ディスク装置が提案されている。このような光ディスク装置の光学ピックアップは、対応する光ディスクの複数の規格に応じて、異なる波長の光を発する複数のレーザ光源を有している。あるいは、この光学ピックアップは、対応する光ディスクの複数の規格が一の波長の光に対応したものである場合には、一の波長の光を発する一のレーザ光源を有している。そして、この光学ピックアップは、対応する光ディスクの複数の規格に応じて、一、または、開口数の異なる複数の対物レンズを有しており、この対物レンズにより、レーザ光源から発せられた光を光ディスクの記録面上に集光させる。
【０００３】
すなわち、光ディスクの複数の規格としては、異なる波長の光を用いて一の対物レンズによりこの光を記録面上に集光させるもの、または、一の波長の光を用いて異なる開口数の対物レンズによりこの光を記録面上に集光させるもの、あるいは、互いに異なる波長の光を用いて互いに異なる開口数の対物レンズによりこの光を記録面上に集光させるものが考えられる。
【０００４】
そして、このような光ディスク装置においては、回転駆動機構により保持される光ディスクと光学ピックアップの対物レンズとの相対角度（以下、「チルト角」という。）について、最適な角度となるように、この光ディスク装置の製造時において調整される。
【０００５】
チルト角を検出するチルト検出機構を備えない光ディスク装置においては、製造時に調整された角度のままで、複数の規格の光ディスクが用いられることになる。この場合には、複数の規格のうちのある一の規格の光ディスクについて、発生する収差や読み出される信号の状態が最良となるように、チルト角を調整しておき、他の規格の光ディスクを用いる場合にも、同一のチルト角に設定された状態で使用されることとなる。
【０００６】
一方、特許文献１及び特許文献２に記載されているように、光学的にチルト角を検出するチルト検出機構を備えた光ディスク装置においては、光ディスクが回転駆動機構に装着される度にチルト角を検出し、この検出結果に応じて、チルト調整機構により、発生する収差や読み出される信号の状態が最良となるように、チルト角を調整、制御している。
【０００７】
【特許文献１】特開平７−５８５５４号公報
【特許文献２】特開２００５−６３４８７公報
【発明の開示】
【発明が解決しようとする課題】
【０００８】
前述した従来の光ディスク装置においては、チルト検出機構を備えない場合には、複数の規格のうちのチルト角の調整がなされた規格の光ディスクについては、発生する収差や読み出される信号の状態が最良となるが、他の規格の光ディスクについては、チルト角が最適な状態になるとは限らず、収差や読み出される信号の状態が悪化する虞れがある。
【０００９】
また、チルト検出機構を備えた光ディスク装置においては、チルト検出機構を設けることによって構成が複雑となり、製造の困難性や製造コストの上昇が招来される虞れがある。
【００１０】
そこで、本発明は、前述の実情に鑑みて提案されるものであって、製造の困難性や製造コストの上昇を招来することなく、複数の規格の光ディスクについて、発生する収差や読み出される信号の状態を良好とすることができる光ディスク装置を提供することを目的とする。
【課題を解決するための手段】
【００１１】
前述の課題を解決し、前記目的を達成するため、本発明に係る光ディスク装置は、以下の構成を有するものである。
【００１２】
すなわち、本発明に係る光ディスク装置は、光ディスクを回転駆動する回転駆動手段と、複数の規格の光ディスクに対応する一、または、互いに異なる波長の光を発する複数のレーザ光源を有し該レーザ光源からの光束を一、または、複数の互いに異なる対物レンズにより光ディスクの記録面上に集光させる光学ピックアップと、対物レンズ及び光ディスクの相対角度を調整するチルト調整機構とを備え、チルト調整機構は、対物レンズ及び光ディスクの相対角度を、一の規格の光ディスクを用いるときには、この一の規格の光ディスクについて調整された最適なチルト角とし、他の規格の光ディスクを用いるときには、最適なチルト角に対して予め定められた所定角度だけ変化させることを特徴とするものである。
【００１３】
この光ディスク装置においては、チルト調整機構により、一の規格の光ディスクを用いるときには、予め調整された最適なチルト角となされ、他の規格の光ディスクを用いるときには、予め定められた所定角度だけチルト角が変化されるので、複数の規格の光ディスクについて、発生する収差や読み出される信号の状態を良好とすることができる。
【００１４】
なお、ここで、光ディスク装置は、光ディスクに対して情報信号の記録を行う記録装置、光ディスクから情報信号の再生を行う再生装置、または、光ディスクに対する情報信号の記録及び光ディスクからの情報信号の再生を行う記録再生装置のいずれであってもよい。
【発明の効果】
【００１５】
本発明に係る光ディスク装置においては、対物レンズ及び光ディスクの相対角度を調整するチルト調整機構により、一の規格の光ディスクを用いるときには、予め調整された最適なチルト角となされ、他の規格の光ディスクを用いるときには、予め定められた所定角度だけチルト角が変化されるので、複数の規格の光ディスクについて、発生する収差や読み出される信号の状態を良好とすることができる。
【００１６】
そして、この光ディスク装置においては、光ディスクの装着の度にチルト角を検出するようなチルト検出機構を設けることが不要なので、製造の困難性や製造コストの上昇が招来されることがない。
【００１７】
すなわち、本発明は、製造の困難性や製造コストの上昇を招来することなく、複数の規格の光ディスクについて、発生する収差や読み出される信号の状態を良好とすることができる光ディスク装置を提供することができるものである。
【発明を実施するための最良の形態】
【００１８】
以下、本発明に係る光ディスク装置の構成について詳細に説明する。
【００１９】
本発明に係る光ディスク装置は、光ディスクに対して情報信号の記録を行う記録装置、光ディスクから情報信号の再生を行う再生装置、または、光ディスクに対する情報信号の記録及び光ディスクからの情報信号の再生を行う記録再生装置のいずれであってもよい。
【００２０】
この光ディスク装置は、光ディスクを回転駆動する回転駆動手段となるスピンドルモータと、光学ピックアップとを備えている。この光ディスク装置において、光学ピックアップは、対応する光ディスクの複数の規格に応じて、異なる波長の光を発する複数のレーザ光源を有するか、あるいは、対応する光ディスクの複数の規格が一の波長の光に対応したものである場合には、一の波長の光を発する一のレーザ光源を有している。そして、この光学ピックアップは、対応する光ディスクの複数の規格に応じて、一、または、開口数の異なる複数の対物レンズを有しており、この対物レンズにより、レーザ光源から発せられた光を光ディスクの記録面上に集光させる。
【００２１】
光ディスクの複数の規格としては、後述するように、互いに異なる波長の光を用いて一の対物レンズによりこれらの光を記録面上に集光させるもの、または、一の波長の光を用いて互いに異なる開口数の対物レンズによりこの光を記録面上に集光させるもの、あるいは、異なる波長の光を用いて異なる開口数の対物レンズによりこれらの光を記録面上に集光させるものが考えられる。
【００２２】
図１は、本発明に係る光ディスク装置における光学ピックアップの構成を示す側面図である。
【００２３】
この光ディスク装置における光学ピックアップは、例えば、図１に示すように、複数の規格の光ディスク１０１に対応する異なる波長の光を発する複数のレーザ光源１ａ，１ｂを有し、これらレーザ光源１ａ，１ｂからの光束を一の対物レンズ２により光ディスク１０１の記録面上に集光させる。
【００２４】
この光学ピックアップにおいて、第１のレーザ光源１ａから発せられた光は、第１のコリメータレンズ３により平行光束となされ、第１の回折格子４を経て、合成プリズム５に入射される。第１のレーザ光源１ａから発せられた光は、合成プリズム５を透過して、偏光ビームスプリッタ６を透過し、〔λ／４〕板７を経て、対物レンズ２に入射される。そして、この対物レンズ２は、第１のレーザ光源１ａから発せられた光を第１の規格の光ディスク１０１の信号記録面上に集光させる。この信号記録面により反射された光は、対物レンズ２及び〔λ／４〕板７を経て、偏光ビームスプリッタ６に戻る。第１の規格の光ディスク１０１からの戻り光は、この偏光ビームスプリッタ６によって反射され、検出レンズ（集光レンズ）８及びシリンドリカルレンズ９を経て、光検出器１０によって検出される。
【００２５】
一方、第２のレーザ光源１ｂから発せられた光は、第２のコリメータレンズ１１により平行光束となされ、第２の回折格子１２を経て、合成プリズム５に入射される。第２のレーザ光源１ｂから発せられた光は、合成プリズム５において反射され、偏光ビームスプリッタ６を透過し、〔λ／４〕板７を経て、対物レンズ２に入射される。そして、この対物レンズ２は、第２のレーザ光源１ｂから発せられた光を第２の規格の光ディスク１０１の信号記録面上に集光させる。この信号記録面により反射された光は、対物レンズ２及び〔λ／４〕板７を経て、偏光ビームスプリッタ６に戻る。第２の規格の光ディスク１０１からの戻り光は、この偏光ビームスプリッタ６によって反射され、検出レンズ（集光レンズ）８及びシリンドリカルレンズ９を経て、光検出器１０によって検出される。
【００２６】
図２は、本発明に係る光ディスク装置におけるチルト調整機構の構成を示す斜視図である。
【００２７】
また、この光ディスク装置は、対物レンズ２及び光ディスク１０１の相対角度、すなわち、チルト角を調整するチルト調整機構を備えている。このチルト調整機構は、図２に示すように、対物レンズ２を移動操作可能に支持するアクチュエータとして構成することができる。なお、このチルト角は、光ディスクの径方向（ラジアル方向）の傾きである。
【００２８】
このアクチュエータは、対物レンズ２が取付けられたレンズボビン１３を４本のワイヤ１４によって支持して構成されている。レンズボビン１３は、対物レンズ２の光軸方向（フォーカス方向Ｆ）、対物レンズ２の光軸に直交する方向（トラッキング方向Ｔ）及び対物レンズ２の光軸を傾ける方向（チルト方向Ｒ）に移動可能となっている。そして、レンズボビン１３には、フォーカス駆動コイル１５及びトラッキング駆動コイル１６が取付けられている。また、これらフォーカス駆動コイル１５及びトラッキング駆動コイル１６に磁束を通過させる状態に、マグネット及びヨークからなる磁気回路が設けられている。
【００２９】
したがって、このアクチュエータにおいては、フォーカス駆動コイル１５に駆動電流を供給することにより、レンズボビンをフォーカス方向に移動操作することができ、トラッキング駆動コイル１６に駆動電流を供給することにより、レンズボビンをトラッキング方向に移動操作することができる。そして、フォーカス駆動コイルは、ラジアル方向に２分割されており、これらに逆極性の駆動電流を供給することにより、レンズボビンをチルト方向に移動操作することができる。
【００３０】
なお、このチルト調整機構は、対物レンズ２ではなく、アクチェータ全体を傾ける機構として構成してもよい。
【００３１】
そして、この光ディスク装置においては、チルト角は、一の規格の光ディスクについて最適な角度となるように、この光ディスク装置の製造時において調整される。そして、この光ディスク装置においては、他の規格の光ディスクが装着されたときには、後述するように、チルト調整機構により、予め設計された一定の角度だけ、チルト角を変化させる。
【００３２】
〔ディスクチルト角及びレンズチルト角と波面収差との関係について〕
ここで、規格Ａ（「ＤＶＤ」規格）の光ディスク及び規格Ｂ（「ＣＤ」規格）の光ディスクについて、ディスクチルト角及びレンズチルト角と波面収差との関係について説明する。ディスクチルト角とは、光ディスクの傾きのことであり、レンズチルト角とは、対物レンズの傾きのことである。
【００３３】
規格Ａは、規格Ｂに対して、使用波長が短波長で、かつ、開口数（ＮＡ）が大きい対物レンズを用いる高密度記録の規格である。規格Ａにおいては、使用波長が６５０ｎｍで、対物レンズの開口数（ＮＡ）が０．６５である。規格Ｂにおいては、使用波長が７８０ｎｍで、対物レンズの開口数（ＮＡ）が０．４５である。
【００３４】
図３は、ディスクチルト角が０．２度のときのレンズチルト角と波面収差との関係を示すグラフである。
【００３５】
図４は、ディスクチルト角が０．４度のときのレンズチルト角と波面収差との関係を示すグラフである。
【００３６】
図５は、ディスクチルト角が０．６度のときのレンズチルト角と波面収差との関係を示すグラフである。
【００３７】
図３乃至図５に示すように、ディスクチルト角があるときには、コマ収差が増大するため、波面収差が悪化する。しかし、レンズチルト角を与えることにより、コマ収差を低減させ、波面収差を低減させることができる。ここで、規格Ａと規格Ｂとでは、波面収差が最小となるレンズチルト角が異なっている。したがって、両方の規格において、チルト角が最小となるようにレンズチルト角を調整すると、いずれかの規格では波面収差が悪化してしまう。
【００３８】
すなわち、規格Ａについては、ディスクチルト角が０．２度のときにレンズチルト角を０．２度とし、ディスクチルト角が０．４度のときにレンズチルト角を０．４度とし、ディスクチルト角が０．６度のときにレンズチルト角を０．６度として、それぞれチルト角を０度としたときが波面収差が最小となっているのに対し、規格Ｂについては、ディスクチルト角が０．２度のときにレンズチルト角を０．４度とし、ディスクチルト角が０．４度のときにレンズチルト角を０．７度とし、ディスクチルト角が０．６度のときにレンズチルト角を０．８度乃至１．０度として、それぞれチルト角を０．２度乃至０．４度としたときが波面収差が最小となっている。
【００３９】
ここで、チルト検出機構を用いて、光ディスクが装着される度にチルト角を検出して調整する場合について考える。
【００４０】
図６は、ディスクチルト角に応じてレンズチルト角を調整した場合に発生する波面収差を示すグラフである。
【００４１】
規格Ａ及び規格Ｂのいずれにおいても、チルト検出機構を用いて、ディスクチルト角に応じてレンズチルト角を調整し、規格Ａについてチルト角を０度とし、規格Ｂについてチルト角を０．２度乃至０．４とした場合には、図６に示すように、いずれの規格の光ディスクについても、波面収差を略十分に抑えることができる。
【００４２】
図７は、一方の規格（規格Ａ）のみについてレンズチルト角を調整した場合に発生する波面収差を示すグラフである。
【００４３】
図７に示すように、規格Ａにおいて波面収差が最小となるように、レンズチルト角を調整した場合には、規格Ａの光ディスクについては、波面収差を略十分に抑えることができるが、規格Ｂの光ディスクについては、大きな波面収差が発生している。
【００４４】
図８は、他方の規格（規格Ｂ）のみについてレンズチルト角を調整した場合に発生する波面収差を示すグラフである。
【００４５】
図８に示すように、規格Ｂにおいて波面収差が最小となるように、レンズチルト角を調整した場合には、規格Ｂの光ディスクについては、波面収差を略十分に抑えることができるが、規格Ａの光ディスクについては、大きな波面収差が発生している。
【００４６】
このように、チルト調整を行った一方の規格の光ディスクに対しては、波面収差を良好に抑えることができるが、チルト調整を行っていない他方の規格の光ディスクに対しては、波面収差を十分に抑えることができない。特に、図８に示すように、規格Ｂにおいて波面収差が最小となるようにレンズチルト角を調整した場合には、規格Ａにおける波面収差は非常に悪化し、マレシャルの評価基準（０．０７λｒｍｓ）に近くなっており、光学性能に余裕がない状態となっている。
【００４７】
〔第１の実施の形態〕
この実施の形態における光ディスク装置は、前述したように、複数の規格の光ディスクに対応した光ディスク装置である。この光ディスク装置の光学ピックアップは、複数のレーザ光源と、これら複数のレーザ光源から発せられた光を光ディスクの記録面上に集光する１つの対物レンズとを有している。また、この光ディスク装置は、光ディスクを回転駆動する回転駆動手段となるスピンドルモータと、対物レンズを傾けるチルト調整機構とを備えている。
【００４８】
この光ディスク装置においては、チルト角は、一の規格の光ディスクについて最適な角度となるように、この光ディスク装置の製造時において調整されており、他の規格の光ディスクが装着されたときには、チルト調整機構により、予め設計された一定の角度だけ、チルト角を変化させるようにしている。
【００４９】
なお、この光ディスク装置の製造時におけるチルト角の調整は、光ディスクからの読出信号のジッタ、ＲＦレベル、エラーレート、または、発生する波面収差量に基づき、これらが最良の状態となるように調整を行う。
【００５０】
図９は、第１の実施の形態の光ディスク装置において規格Ａについてレンズチルト角を調整したときのディスクチルト角と波面収差との関係を示すグラフである。
【００５１】
この光ディスク装置において、規格Ａの光ディスクに対してレンズチルト角を最適な状態に調整しておき、規格Ｂの光ディスクが装着されたとき（記録ないし再生時）には、規格Ａの光ディスクが装着されたときに対し、０．２度だけレンズチルト角を変化させる。このとき、対物レンズの光軸は、規格Ｂの光ディスクに対して垂直とはなっておらず、所定のチルトを持っていることになる。すると、図９に示すように、いずれの規格の光ディスクに対しても、波面収差が良好に抑えられる。
【００５２】
図１０は、第１の実施の形態の光ディスク装置において規格Ｂについてレンズチルト角を調整したときのディスクチルト角と波面収差との関係を示すグラフである。
【００５３】
この光ディスク装置において、規格Ｂの光ディスクに対してレンズチルト角を最適な状態に調整しておき、規格Ａの光ディスクが装着されたとき（記録ないし再生時）に、規格Ｂの光ディスクが装着されたときに対し、０．３度だけレンズチルト角を変化させるようにしてもよい。このとき、対物レンズの光軸は、規格Ａの光ディスクに対して垂直とはなっておらず、所定のチルトを持っていることになる。すると、図１０に示すように、いずれの規格の光ディスクに対しても、波面収差が良好に抑えられる。
【００５４】
このように、いずれの規格に対してレンズチルト角が調整してあっても、他方の規格の光ディスクが装着されたときには、予め定めた所定の角度だけ、レンズチルト角を変化させることにより、いずれの規格の光ディスクに対しても、波面収差が良好に抑えられることがわかる。
【００５５】
図１１は、規格Ａ及び規格Ｂの各光ディスクにおいて、波面収差が最少となるディスクチルト角とレンズチルト角の関係を示すグラフである。
【００５６】
前述したように、本発明に係る光ディスク装置において、いずれの規格の光ディスクに対しても波面収差を良好に抑えることができるのは、以下の理由による。すなわち、図１１に示すように、規格Ａにおけるディスクチルト角とレンズチルト角の関係と、規格Ｂにおけるディスクチルト角とレンズチルト角の関係とは、ともに直線近似が可能である。そして、規格Ａについてのグラフと、規格Ｂについてのグラフとでは、切片は異なるが、傾きは１と１．２５であり、傾きの差は少ない。そこで、規格Ａについてのグラフと規格Ｂについてのグラフの傾きを同じ値とみなして、規格Ａの光ディスクで最適なチルト角の調整をしたときには、規格Ｂの光ディスクを装着したときに、図１１に示すグラフのオフセット分だけ、レンズチルト角にオフセットを与え、また、規格Ｂの光ディスクで最適なチルト角の調整をしたときには、規格Ａの光ディスクを装着したときに、図１１に示すグラフのオフセット分だけ、レンズチルト角にオフセットを与えることにより、いずれの規格の光ディスクに対しても、良好なチルト制御を行うことが可能となる。
【００５７】
なお、各規格の光ディスクにおいては、概ね次の関係が成立している。
【００５８】
コマ収差∝ｔ・（ＮＡ３）／λ
ここで、ｔはディスクカバー層の厚さであり、ＮＡは対物レンズの開口数であり、λ  は使用波長である。
【００５９】
そして、各規格の光ディスクにおいて最適なレンズチルト角が異なる要因は、概ね次の関係があることによる。
【００６０】
コマ収差≒３Ｋ・ｔ・α・（ＮＡ２）
Ｋ＝１／〔２ｎ・｛１−（１／ｎ２）｝〕
ここで、αはチルト角であり、ｎは屈折率ディスクカバー層の屈折率である。
【００６１】
すなわち、この光ディスク装置においては、チルト制御を行うことで、コマ収差が補正され、波面収差が改善されるのである。
【００６２】
〔光ディスク装置の製造手順及び動作について〕
図１２は、本発明に係る光ディスク装置の製造手順を示すフローチャートである。
【００６３】
この光ディスク装置の製造工程においては、図１２に示すように、ステップｓｔ１で開始し、ステップｓｔ２に進み、一の規格の光ディスクを装着し、この光ディスクについてチルト角調整ルーチンを開始する。ステップｓｔ３において、チルト角の計測を開始する。ステップｓｔ４において、光ディスクからの読出信号のジッタ、ＲＦレベル、エラーレート、または、発生する波面収差量の計測を行う。ステップｓｔ５において、ステップｓｔ４で計測されたジッタ、ＲＦレベル、エラーレート、または、波面収差量が最良の状態であるかどうかを判別する。測定値が最良の状態でないならば、ステップｓｔ３に戻る。測定値が最良の状態であったならば、ステップｓｔ６に進み、計測値に対応するチルト角をチルト制御初期値として保存し、ステップｓｔ７に進んでチルト角調整ルーチンを終了する。
【００６４】
図１３は、本発明に係る光ディスク装置の動作を示すフローチャートである。
【００６５】
この光ディスク装置は、動作を開始すると、図１３に示すように、ステップｓｔ１１でチルト角制御ルーチンを開始し、ステップｓｔ１２で装着された光ディスクをローディングする。ステップｓｔ１３で、装着された光ディスクの規格を判別し、製造時においてチルト角の調整に使用された一の規格の光ディスクであれば、ステップｓｔ１４に進み、他の規格の光ディスクであれば、ステップｓｔ１５に進む。ステップｓｔ１４では、チルト角をチルト制御初期値のままとしてステップｓｔ１６に進み、チルト角制御ルーチンを終了する。ステップｓｔ１５では、チルト角を所定の角度（オフセット）だけ変化させ、ステップｓｔ１６に進み、チルト角制御ルーチンを終了する。
【００６６】
この光ディスク装置は、このようにしてチルト角制御ルーチンを終了した後、記録及び／又は再生の動作を開始する。
【００６７】
〔第２の実施の形態〕
本発明に係る光ディスク装置は、前述した実施の形態のように２種類の規格の光ディスクに対応するのみならず、３種類以上の規格の光ディスクに対応するように構成することもできる。
【００６８】
この実施の形態における光ディスク装置は、３個の異なる波長の光を発するレーザ光源を有する光ピックアップを備え、以下の〔表１〕に示すように、３種類の規格の光ディスクに対応している。なお、規格Ｃは、「ＨＤ  ＤＶＤ」規格、規格Ｄは、「ＤＶＤ」規格、規格Ｅは、「ＣＤ」規格である。
【００６９】
【表１】
2007066442.tif 000003
【００７０】
図１４は、規格Ｃ乃至規格Ｅの各光ディスクにおいて、波面収差が最少となるディスクチルト角とレンズチルト角の関係を示すグラフである。
【００７１】
これら規格Ｃ乃至規格Ｅの各光ディスクにおけるディスクチルト角とレンズチルト角の関係を見ると、図１４に示すように、規格Ｅの光ディスクについては、発生する波面収差は少なく、また、グラフの傾きが規格Ｃ及び規格Ｄの光ディスクと大きく異なるので、チルト角の補正（オフセット）は不要である。
【００７２】
規格Ｃ及び規格Ｄについてのグラフでは、傾きが異なるが、傾きの差は少ないので、規格Ｄの光ディスクのチルト角について、所定のオフセット角を与える。
【００７３】
図１５は、第２の実施の形態の光ディスク装置において規格Ｄについてレンズチルト角を調整したときのディスクチルト角と波面収差との関係を示すグラフである。
【００７４】
この光ディスク装置において、規格Ｃの光ディスクに対してレンズチルト角を最適な状態に調整しておき、規格Ｄの光ディスクが装着されたとき（記録ないし再生時）には、規格Ｃの光ディスクが装着されたときに対し、所定の角度だけレンズチルト角を変化させる。このとき、対物レンズの光軸は、規格Ｄの光ディスクに対して垂直とはなっておらず、所定のチルトを持っていることになる。すると、図１５に示すように、規格Ｄの光ディスクに対しても、波面収差が良好に抑えられる。
【００７５】
このように、いずれの規格に対してレンズチルト角が調整してあっても、他方の規格の光ディスクが装着されたときには、予め定めた所定の角度だけ、レンズチルト角を変化させることにより、いずれの規格の光ディスクに対しても、波面収差が良好に抑えられることがわかる。
【００７６】
〔第３の実施の形態〕
本発明に係る光ディスク装置は、前述した実施の形態のように既製の規格の光ディスクに対応するのみならず、仮想規格の光ディスクに対応するように構成することもできる。
【００７７】
この実施の形態における光ディスク装置は、２個の異なる波長の光を発するレーザ光源を有する光ピックアップを備え、以下の〔表２〕に示すように、２種類の規格の光ディスクに対応している。なお、規格Ｆは、「ＢＤ」規格、規格Ｇは、仮想規格である。
【００７８】
【表２】
2007066442.tif 000004
【００７９】
図１６は、規格Ｆ及び規格Ｇの各光ディスクにおいて、波面収差が最少となるディスクチルト角とレンズチルト角の関係を示すグラフである。
【００８０】
これら規格Ｆ及び規格Ｇの各光ディスクにおけるディスクチルト角とレンズチルト角の関係を見ると、図１６に示すように、  規格Ｆ及び規格Ｇについてのグラフでは、傾き及びオフセットともに、略一致しているので、チルト角の補正（オフセット）は不要である。
【００８１】
すなわち、いずれの規格に対してレンズチルト角が調整してあっても、他方の規格の光ディスクが装着されたときには、レンズチルト角を変化させることなく、いずれの規格の光ディスクに対しても、波面収差が良好に抑えられることがわかる。
【００８２】
〔光ディスクの各規格について〕
前述の第２及び第３の実施の形態における光ディスク装置においては、前述した各規格の光ディスクについて、以下の関係が成立している。
【００８３】
コマ収差∝ｔ・（ＮＡ３）／λ
ここで、ｔはディスクカバー層の厚さであり、ＮＡは対物レンズの開口数であり、λ  は使用波長である。各規格における使用波長、対物レンズの開口数及びディスクカバー層の厚さは、以下の〔表３〕に示す通りであり、コマ収差の係数は、概ね５００以下となっている。
【００８４】
【表３】
2007066442.tif 000005
【図面の簡単な説明】
【００８５】
【図１】本発明に係る光ディスク装置における光学ピックアップの構成を示す側面図である。
【図２】前記光ディスク装置におけるチルト調整機構の構成を示す斜視図である。
【図３】ディスクチルト角が０．２度のときのレンズチルト角と波面収差との関係を示すグラフである。
【図４】ディスクチルト角が０．４度のときのレンズチルト角と波面収差との関係を示すグラフである。
【図５】ディスクチルト角が０．６度のときのレンズチルト角と波面収差との関係を示すグラフである。
【図６】ディスクチルト角に応じてレンズチルト角を調整した場合に発生する波面収差を示すグラフである。
【図７】一方の規格（規格Ａ）の光ディスクのみについてレンズチルト角を調整した場合に発生する波面収差を示すグラフである。
【図８】他方の規格（規格Ｂ）の光ディスクのみについてレンズチルト角を調整した場合に発生する波面収差を示すグラフである。
【図９】本発明の第１の実施の形態の光ディスク装置において、一方の規格（規格Ａ）の光ディスクについてレンズチルト角を調整したときのディスクチルト角と波面収差との関係を示すグラフである。
【図１０】前記光ディスク装置において他方の規格（規格Ｂ）の光ディスクについてレンズチルト角を調整したときのディスクチルト角と波面収差との関係を示すグラフである。
【図１１】前記光ディスク装置において、各規格（規格Ａ及び規格Ｂ）の光ディスクについて波面収差が最少となるディスクチルト角とレンズチルト角の関係を示すグラフである。
【図１２】前記光ディスク装置の製造手順を示すフローチャートである。
【図１３】前記光ディスク装置の動作を示すフローチャートである。
【図１４】本発明の第２の実施の形態の光ディスク装置において、規格Ｃ乃至規格Ｅの各光ディスクについて波面収差が最少となるディスクチルト角とレンズチルト角の関係を示すグラフである。
【図１５】前記光ディスク装置において、規格Ｄについてレンズチルト角を調整したときのディスクチルト角と波面収差との関係を示すグラフである。
【図１６】本発明の第３の実施の形態の光ディスク装置において、規格Ｆ及び規格Ｇの各光ディスクについて波面収差が最少となるディスクチルト角とレンズチルト角の関係を示すグラフである。
【符号の説明】
【００８６】
１ａ  第１のレーザ光源
１ｂ  第２のレーザ光源
２    対物レンズ
１０１  光ディスク
【図１】
2007066442.tif 000006
【図２】
2007066442.tif 000007
【図３】
2007066442.tif 000008
【図４】
2007066442.tif 000009
【図５】
2007066442.tif 000010
【図６】
2007066442.tif 000011
【図７】
2007066442.tif 000012
【図８】
2007066442.tif 000013
【図９】
2007066442.tif 000014
【図１０】
2007066442.tif 000015
【図１１】
2007066442.tif 000016
【図１２】
2007066442.tif 000017
【図１３】
2007066442.tif 000018
【図１４】
2007066442.tif 000019
【図１５】
2007066442.tif 000020
【図１６】
2007066442.tif 000021